(57)【要約】【課題】簡単な文言（名詞、動詞等）の入力だけで、工学的矛盾の定義を明確にするための支援、検証を容易に行うことができるようにする。【解決手段】有害作用を表す文章の名詞（ＴＤ１）と動詞（ＴＤ２）とを取得する第１データ取得部８０ａと、対象物の主機能を表す文章の名詞（ＴＤ３）と動詞（ＴＤ４）とを取得する第２データ取得部８０ｂと、主機能を改善する機能を表す名詞（ＴＤ５）を取得する第３データ取得部８０ｃと、主機能を改善する機能と二律背反の関係を有する機能を表す名詞（ＴＤ６）を取得する第４データ取得部８０ｄと、ＴＤ１〜ＴＤ５に基づいて、主機能を実現する工学的矛盾に関する特性パラメータの選定を支援する表示を行う第１支援表示部８２ａと、ＴＤ１〜ＴＤ４及びＴＤ６に基づいて、有害作用を解決する工学的矛盾に関する特性パラメータの選定を支援する表示を行う第２支援表示部８２ｂとを有する。【選択図】図３
2010231578.tif 000002
【特許請求の範囲】
【請求項１】
入力装置及び表示装置が接続されたコンピュータを、
少なくとも工学的矛盾マトリックスにおける特性パラメータの選定を支援する特性パラメータ選定支援手段として機能させるためのプログラムであって、
前記特性パラメータ選定支援手段は、
提起された問題の有害作用を表す文章のうち、前記入力装置によって操作入力された名詞を表す第１テキストデータと、動詞を表す第２テキストデータとを取得する手段と、
前記問題が提起された対象物の主機能を表す文章のうち、前記入力装置によって操作入力された名詞を表す第３テキストデータと、動詞を表す第４テキストデータとを取得する手段と、
前記入力装置によって操作入力された前記主機能を改善する機能を表す名詞を表す第５テキストデータを取得する手段と、
前記入力装置によって操作入力された前記主機能を改善する機能と二律背反の関係を有する機能を表す名詞を表す第６テキストデータを取得する手段と、
取得された少なくとも前記第１テキストデータ、前記第２テキストデータ及び前記第５テキストデータに基づいて、主機能を実現する工学的矛盾に関する特性パラメータの選定を支援する表示を行う第１支援表示手段と、
取得された少なくとも前記第３テキストデータ、前記第４テキストデータ及び前記第６テキストデータに基づいて、有害作用を解決する工学的矛盾に関する特性パラメータの選定を支援する表示を行う第２支援表示手段と、
を有することを特徴とする特性パラメータ選定支援プログラム。
【請求項２】
請求項１記載のプログラムにおいて、
さらに、前記表示装置に設定画面を表示する手段を有し、
前記設定画面は、前記主機能を実現する工学的矛盾に関する特性パラメータを設定するための第１特性設定領域と、前記有害作用を解決する工学的矛盾に関する特性パラメータを設定するための第２特性設定領域と、前記対象物の作用に関する特性が表示される特性表示領域とを有し、
前記特性表示領域は、
前記第１特性設定領域に対応して配置され、前記対象物の主機能の改善特性を表す文言が表示される第１文言表示領域及び有害作用を表す文言が表示される第２文言表示領域と、前記第２特性設定領域に対応して配置され、前記有害作用を解決する改善特性を表す文言が表示される第３文言表示領域及び不足作用を表す文言が表示される第４文言表示領域とを有し、
前記第１支援表示手段は、前記第５テキストデータで表される文言を前記第１文言表示領域に表示し、前記第１テキストデータ及び前記第２テキストデータで表される文言を前記第２文言表示領域に表示する手段を有し、
前記第２支援表示手段は、前記第６テキストデータで表される文言を前記第３文言表示領域に表示し、前記第３テキストデータ及び前記第４テキストデータで表される文言を前記第４文言表示領域に表示する手段を有することを特徴とする特性パラメータ選定支援プログラム。
【請求項３】
請求項２記載のプログラムにおいて、
前記設定画面は、さらに、前記入力装置への操作入力によって設定される文言が表示される文言設定領域を有し、
前記文言設定領域は、
操作入力された前記第１テキストデータと前記第２テキストデータが横方向に配置して表示される第１文言設定領域と、
操作入力された前記第３テキストデータと前記第４テキストデータが横方向に配置して表示される第２文言設定領域と、
操作入力された前記第５テキストデータが表示される第３文言設定領域とを有し、
前記第１文言設定領域〜前記第３文言設定領域は、上下方向に配置されていることを特徴とする特性パラメータ選定支援プログラム。
【請求項４】
請求項３記載のプログラムにおいて、
前記設定画面は、さらに、
前記文言設定領域と前記特性表示領域との間に、前記工学的矛盾のモデル図が表示される工学的矛盾モデル図表示領域を有し、
前記工学的矛盾モデル図表示領域は、
前記第１テキストデータ〜前記第５テキストデータに基づく、主機能を実現する工学的矛盾のモデル図が表示される第１モデル図表示領域と、
少なくとも前記第１テキストデータ〜前記第４テキストデータに基づく、有害作用を解決する工学的矛盾のモデル図が表示される第２モデル図表示領域とを有し、
前記第２モデル図表示領域は、さらに、
操作入力された前記第６テキストデータが表示される第４文言設定領域を有することを特徴とする特性パラメータ選定支援プログラム。
【請求項５】
請求項１記載のプログラムにおいて、
さらに、前記表示装置に設定画面を表示する手段を有し、
前記設定画面は、前記主機能を実現する工学的矛盾に関する特性パラメータを設定するための第１特性設定領域と、前記有害作用を解決する工学的矛盾に関する特性パラメータを設定するための第２特性設定領域と、工学的矛盾に関する文章が表示される工学的矛盾文章表示領域を有し、
前記工学的矛盾文章表示領域は、
前記第１特性設定領域に対応して配置され、前記主機能を実現する工学的矛盾に関する第１文章が表示される第１文章表示領域と、前記有害作用を解決する工学的矛盾に関する第２文章が表示される第２文章表示領域とを有し、
前記第１支援表示手段は、前記第１テキストデータ〜前記第５テキストデータに基づいて前記第１文章を作成する第１文章作成手段と、作成された前記第１文章を第１文章表示領域に表示する第１文章表示手段とを有し、
前記第２支援表示手段は、前記第１テキストデータ〜前記第４テキストデータ及び第６テキストデータに基づいて前記第２文章を作成する第２文章作成手段と、作成された前記第２文章を第２文章表示領域に表示する第２文章表示手段とを有することを特徴とする特性パラメータ選定支援プログラム。
【請求項６】
請求項５記載のプログラムにおいて、
前記第２支援表示手段は、前記第１文章が表示された後、前記入力装置によって操作入力された前記第６テキストデータを取得した段階で動作することを特徴とする特性パラメータ選定支援プログラム。
【請求項７】
請求項２〜６のいずれか１項に記載のプログラムにおいて、
前記設定画面の前記第１特性設定領域は、前記主機能を実現する工学的矛盾に関する特性パラメータのうち、前記入力装置によって操作入力された改善パラメータが表示される第１改善パラメータ設定領域と、前記入力装置によって操作入力された悪化パラメータが表示される第１悪化パラメータ設定領域とを有し、
前記設定画面の前記第２特性設定領域は、前記有害作用を解決する工学的矛盾に関する特性パラメータのうち、前記入力装置によって操作入力された改善パラメータが表示される第２改善パラメータ設定領域と、前記入力装置によって操作入力された悪化パラメータが表示される第２悪化パラメータ設定領域とを有することを特徴とする特性パラメータ選定支援プログラム。
【請求項８】
請求項７記載のプログラムにおいて、
前記設定画面は、さらに、前記第１特性設定領域に対応して配置された第１発明原理表示領域と、前記第２特性設定領域に対応して配置された第２発明原理表示領域とを有し、
前記第１支援表示手段は、前記工学的矛盾マトリックスから前記第１改善パラメータと前記第１悪化パラメータに適合する１以上の発明原理を読み出して前記第１発明原理表示領域に表示する手段を有し、
前記第２支援表示手段は、前記工学的矛盾マトリックスから前記第２改善パラメータと前記第２悪化パラメータに適合する１以上の発明原理を読み出して前記第２発明原理表示領域に表示する手段を有することを特徴とする特性パラメータ選定支援プログラム。
【請求項９】
請求項２〜８のいずれか１項に記載のプログラムにおいて、
前記設定画面は、さらに、物理的矛盾のモデル図が表示される物理的矛盾モデル図表示領域を有し、
前記物理的矛盾モデル図表示領域は、
前記第１テキストデータ、前記第２テキストデータ及び前記第５テキストデータに基づく、前記主機能を改善する機能による有害作用を示すモデル図が表示される第３モデル図表示領域と、
前記第３テキストデータ、前記第４テキストデータ及び前記第６テキストデータに基づく、前記主機能を改善する機能と二律背反の関係を有する機能による不足作用を示すモデル図が表示される第４モデル図表示領域とを有することを特徴とする特性パラメータ選定支援プログラム。
【請求項１０】
請求項２〜９のいずれか１項に記載のプログラムにおいて、
前記設定画面は、さらに、物理的矛盾の文章が表示される物理的矛盾文章表示領域を有し、
さらに、前記第１テキストデータ〜前記第６テキストデータに基づいて前記物理的矛盾の文章を作成する第３文章作成手段と、作成された前記文章を前記物理的矛盾文章表示領域に表示する第３文章表示手段とを有することを特徴とする特性パラメータ選定支援プログラム。
【請求項１１】
請求項２記載のプログラムにおいて、
前記設定画面は、さらに、
前記入力装置によって操作入力された少なくとも前記提起された問題を表す文章、前記提起された問題の有害作用を表す文章及び根本原因を表す文章を表示するためのメモ設定領域を有することを特徴とする特性パラメータ選定支援プログラム。
【請求項１２】
入力装置及び表示装置が接続されたコンピュータを使用して、少なくとも工学的矛盾マトリックスにおける特性パラメータの選定を支援する特性パラメータ選定支援方法であって、
提起された問題の有害作用を表す文章のうち、前記入力装置によって操作入力された名詞を表す第１テキストデータと、動詞を表す第２テキストデータとを取得するステップと、
前記問題が提起された対象物の主機能を表す文章のうち、前記入力装置によって操作入力された名詞を表す第３テキストデータと、動詞を表す第４テキストデータとを取得するステップと、
前記入力装置によって操作入力された前記主機能を改善する機能を表す名詞を表す第５テキストデータを取得するステップと、
前記入力装置によって操作入力された前記主機能を改善する機能と二律背反の関係を有する機能を表す名詞を表す第６テキストデータを取得するステップと、
取得された前記第１テキストデータ、前記第２テキストデータ及び前記第５テキストデータに基づいて、主機能を実現する工学的矛盾に関する特性パラメータの選定を支援する表示を行う第１支援表示ステップと、
取得された前記第３テキストデータ、前記第４テキストデータ及び前記第６テキストデータに基づいて、有害作用を解決する工学的矛盾に関する特性パラメータの選定を支援する表示を行う第２支援表示ステップとを有することを特徴とする特性パラメータ選定支援方法。
【発明の詳細な説明】
【技術分野】
【０００１】
本発明は、ＴＲＩＺ（発明的問題解決思考法）における思考プロセスを支援し、導き出された工学的矛盾、物理的矛盾の定義を検証可能にして、アイデアの創出を支援することができる特性パラメータ選定支援プログラム及び特性パラメータ選定支援方法に関する。
【背景技術】
【０００２】
従来より、技術課題を解決する方法として、思考支援システムであるＴＲＩＺ（発明的問題解決思考法）が活用されている。また、ＴＲＩＺを利用した問題解決方法に関する提案もなされている（例えば特許文献１〜４参照）。
【０００３】
例えば特許文献１には、改善したいパラメータ、悪化するパラメータとの組み合わせに対応する問題解決原理の組み合わせが登録された問題メタデータベースについて記載され、ユーザが、問題を解決するために、改善したい特性に関するパラメータ並びに悪化するパラメータを入力することで、問題メタデータベースから該当する問題解決原理を検索する方法が開示されている。
【０００４】
特許文献２には、ディスプレイ上に順次表示される入力項目に従って、技術システムに関する事項を入力していくことにより、技術問題の主要因の推定、及び解決コンセプトの創出に有用な現象−属性分析表が自動的に作成される方法が開示されている。特に、この特許文献２記載の方法では、以下の機能を持たせるようにしている。すなわち、技術問題推定方法や、推定プログラムに習熟していない技術者の場合、入力項目だけでは実際に何を入力すべきかわからない場合が多いことから、入力項目を補足し、且つ、具体的に入力すべき項目を質問形式とした入力サポート項目を一緒に表示するようにしている。
【０００５】
特許文献３には、機能モデルに関する処理が開示されている。機能モデルには、主要構成要素、スーパーシステム、プロダクト（製品）、これらの間に存在する有用作用と有害作用とが含まれる。そして、ユーザがグラフィックユニットにデータを入力することで、分析対象のオブジェクトシステムの機能モデルがグラフィックで表示され、ユーザは、オブジェクトシステム機能モデルの各構成要素を表すボックスや、各構成要素間の相互関係を表すボックス間の線等の記号を描画することが記載されている。また、ユーザがテーブルユニットに一連のテーブルを入力し、この入力が完了すると、自動的に機能モデルを描画することが記載されている。
【０００６】
特許文献４には、設計者に対し誘導（ナビゲーション）を行うことにより、設計に関係する一連の意思決定活動を支援する意思決定誘導手段と、誘導された一連の意思決定活動を意思決定履歴として記録する意思決定履歴記録手段と、意思決定履歴を、意思決定部品とその論理的な意味との対応付けを行って、論理的な依存関係として解釈させる部品対応手段等の開示がある。
【先行技術文献】
【特許文献】
【０００７】
【特許文献１】特開２００２−８２９６２号公報
【特許文献２】特開２００７−６６２８１号公報
【特許文献３】特許第４０３６４７９号公報
【特許文献４】特許第３６８８９６８号公報
【発明の概要】
【発明が解決しようとする課題】
【０００８】
ところで、ＴＲＩＺを用いたシステムでは、思考を整理発展させる過程の中で、前段部の「工学的矛盾の定義」を適切に設定する必要がある。しかしながら、「工学的矛盾の定義」を適切に設定するには、ユーザの熟練や検証のための膨大な時間が要求され、ＴＲＩＺを用いたシステムを使い難いものとしていた。
【０００９】
上述した特許文献１では、すでに「工学的矛盾の定義」が明確になっていることが前提で、改善したい特性に関するパラメータや悪化するパラメータを導き出すことについては何ら解決されていない。
【００１０】
特許文献２では、具体的に入力すべき項目を質問形式とした入力サポート項目を一緒に表示するようにしているが、ユーザは、質問に対して散文的に入力する形式になることから、入力された文章から「工学的矛盾の定義」を明確に導くことは情報処理上、困難であることは明らかである。
【００１１】
特許文献３では、グラフィックモデルを描画したり、一連のテーブルの入力が必要で、入力作業が煩雑になるという問題がある。つまり、「工学的矛盾の定義」を明確にするまでに、様々なグラフィックモデルを描いたり、テーブルの入力が必要で、検証に膨大な時間がかかるという問題がある。
【００１２】
特許文献４では、意思決定誘導手段によって誘導された設計者による一連の意思決定活動が、意思決定部品とその論理的な意味との対応付けでモデル化されることになるが、モデル化は、意思決定部品との間の論理和、論理積の関係で示されることになることから、このモデルに基づいて「工学的矛盾の定義」を明確にするには、記録されている一連の意思決定活動も参照する必要があり、やはり時間がかかるという問題がある。
【００１３】
このように、特許文献１〜４等を含むＴＲＩＺを用いた従来のシステムでは、どうしても専門のコンサルタントの下で長時間の研修が必要であり、研修を終えても、「工学的矛盾の定義」を導くまでの手続、操作が煩雑であることから、なかなか設計現場等で普及させることが困難であるという問題がある。
【００１４】
本発明はこのような課題を考慮してなされたものであり、簡単な文言（名詞、動詞等）の入力だけで、工学的矛盾の定義を明確にするための支援、検証を容易に行うことができ、ＴＲＩＺを用いた問題解決システムの普及を実現させることができる特性パラメータ選定支援プログラム及び特性パラメータ選定支援方法を提供することを目的とする。
【課題を解決するための手段】
【００１５】
第１の本発明に係る特性パラメータ選定支援プログラムは、入力装置及び表示装置が接続されたコンピュータを、少なくとも工学的矛盾マトリックスにおける特性パラメータの選定を支援する特性パラメータ選定支援手段として機能させるためのプログラムであって、前記特性パラメータ選定支援手段は、提起された問題の有害作用を表す文章のうち、前記入力装置によって操作入力された名詞を表す第１テキストデータと、動詞を表す第２テキストデータとを取得する手段と、前記問題が提起された対象物の主機能を表す文章のうち、前記入力装置によって操作入力された名詞を表す第３テキストデータと、動詞を表す第４テキストデータとを取得する手段と、前記入力装置によって操作入力された前記主機能を改善する機能を表す名詞を表す第５テキストデータを取得する手段と、前記入力装置によって操作入力された前記主機能を改善する機能と二律背反の関係を有する機能を表す名詞を表す第６テキストデータを取得する手段と、取得された少なくとも前記第１テキストデータ、前記第２テキストデータ及び前記第５テキストデータに基づいて、主機能を実現する工学的矛盾に関する特性パラメータの選定を支援する表示を行う第１支援表示手段と、取得された少なくとも前記第３テキストデータ、前記第４テキストデータ及び前記第６テキストデータに基づいて、有害作用を解決する工学的矛盾に関する特性パラメータの選定を支援する表示を行う第２支援表示手段とを有することを特徴とする。なお、「名詞」は、「名詞句」、「名詞節」を含む。また、「名詞」には、該名詞が文章の中でどのような関係を持つかを示す標識（格や前置詞等）を含む場合もある。「動詞」は、「動詞句」を含む。また、第５テキストデータは、対象物の主機能の改善特性を表す文言でもあり、第６テキストデータは、有害作用を解決する改善作用を表す文言でもある。
【００１６】
これにより、簡単な文言（名詞、動詞等）の入力だけで、「工学的矛盾の定義」を明確にするための支援、検証を容易に行うことができ、ＴＲＩＺを用いた問題解決システムの普及を実現させることができる。
【００１７】
そして、第１の本発明において、さらに、前記表示装置に設定画面を表示する手段を有し、前記設定画面は、前記主機能を実現する工学的矛盾に関する特性パラメータを設定するための第１特性設定領域と、前記有害作用を解決する工学的矛盾に関する特性パラメータを設定するための第２特性設定領域と、前記対象物の作用に関する特性が表示される特性表示領域とを有し、前記特性表示領域は、前記第１特性設定領域に対応して配置され、前記対象物の主機能の改善特性を表す文言が表示される第１文言表示領域及び有害作用を表す文言が表示される第２文言表示領域と、前記第２特性設定領域に対応して配置され、有害作用を解決する改善特性を表す文言が表示される第３文言表示領域及び不足作用を表す文言が表示される第４文言表示領域とを有し、前記第１支援表示手段は、前記第５テキストデータで表される文言を前記第１文言表示領域に表示し、前記第１テキストデータ及び前記第２テキストデータで表される文言を前記第２文言表示領域に表示する手段を有し、前記第２支援表示手段は、前記第６テキストデータで表される文言を前記第３文言表示領域に表示し、前記第３テキストデータ及び前記第４テキストデータで表される文言を前記第４文言表示領域に表示する手段を有するようにしてもよい。
【００１８】
この場合、第１文言表示領域に表示された対象物の主機能の改善特性を表す文言（第５テキストデータ）と、第２文言表示領域に表示された有害作用を表す文言（第１テキストデータ及び第２テキストデータ）に基づいて前記主機能を実現する工学的矛盾に関する特性パラメータを容易に選定することが可能となり、第３文言表示領域に表示された有害作用を解決する改善特性を表す文言（第６テキストデータ）と、第４文言表示領域に表示された不足作用を表す文言（第３テキストデータ及び第４テキストデータ）に基づいて前記有害作用を解決する工学的矛盾に関する特性パラメータを容易に選定することが可能となる。
【００１９】
また、この場合、前記設定画面は、さらに、前記入力装置への操作入力によって設定される文言が表示される文言設定領域を有し、前記文言設定領域は、操作入力された前記第１テキストデータと前記第２テキストデータが横方向に配置して表示される第１文言設定領域と、操作入力された前記第３テキストデータと前記第４テキストデータが横方向に配置して表示される第２文言設定領域と、操作入力された前記第５テキストデータが表示される第３文言設定領域とを有し、前記第１文言設定領域〜前記第３文言設定領域は、上下方向に配置されていてもよい。
【００２０】
第１文言設定領域では、提起された問題の有害作用を表す文章のうち、名詞を表す第１テキストデータと、動詞を表す第２テキストデータとが横方向に並んだ状態で表示されることから、有害作用を表す文章を簡単に想起することができ、入力ミスや文書上の矛盾を簡単に見つけることができる。同様に、第２文言設定領域では、問題が提起された対象物の主機能を表す文章のうち、名詞を表す第３テキストデータと、動詞を表す第４テキストデータとが横方向に並んだ状態で表示されることから、対象物の主機能を表す文章を簡単に想起することができ、入力ミスや文書上の矛盾を簡単に見つけることができる。さらに、有害作用、主機能、主機能を改善する機能を表す文言が上下方向に並んで表示される形態となるため、有害作用、主機能、主機能を改善する機能を明確に認識することが可能となる。
【００２１】
また、第１の本発明において、前記設定画面は、さらに、前記文言設定領域と前記特性表示領域との間に、前記工学的矛盾のモデル図が表示される工学的矛盾モデル図表示領域を有し、該工学的矛盾モデル図表示領域は、前記第１テキストデータ〜前記第５テキストデータに基づく、主機能を実現する工学的矛盾のモデル図が表示される第１モデル図表示領域と、少なくとも前記第１テキストデータ〜前記第４テキストデータに基づく、有害作用を解決する工学的矛盾のモデル図が表示される第２モデル図表示領域とを有し、前記第２モデル図表示領域は、さらに、操作入力された前記第６テキストデータが表示される第４文言設定領域を有するようにしてもよい。
【００２２】
これにより、文言設定領域への第１テキストデータ〜第５テキストデータの表示に基づいて、主機能を実現する工学的矛盾のモデル図及び有害作用を解決する工学的矛盾のモデル図が、特定表示領域に隣接した位置に表示されることになるため、モデル図への表示内容に基づいて工学的矛盾の定義の検証を容易に行うことが可能となる。
【００２３】
また、第１の本発明において、さらに、前記表示装置に設定画面を表示する手段を有し、前記設定画面は、前記主機能を実現する工学的矛盾に関する特性パラメータを設定するための第１特性設定領域と、前記有害作用を解決する工学的矛盾に関する特性パラメータを設定するための第２特性設定領域と、工学的矛盾に関する文章が表示される工学的矛盾文章表示領域を有し、該工学的矛盾文章表示領域は、前記第１特性設定領域に対応して配置され、前記主機能を実現する工学的矛盾に関する第１文章が表示される第１文章表示領域と、前記有害作用を解決する工学的矛盾に関する第２文章が表示される第２文章表示領域とを有し、前記第１支援表示手段は、前記第１テキストデータ〜前記第５テキストデータに基づいて前記第１文章を作成する第１文章作成手段と、作成された前記第１文章を第１文章表示領域に表示する第１文章表示手段とを有し、前記第２支援表示手段は、前記第１テキストデータ〜前記第４テキストデータ及び第６テキストデータに基づいて前記第２文章を作成する第２文章作成手段と、作成された前記第２文章を第２文章表示領域に表示する第２文章表示手段とを有するようにしてもよい。この場合、前記第２支援表示手段は、前記第１文章が表示された後、前記入力装置によって操作入力された前記第６テキストデータを取得した段階で動作するようにしてもよい。
【００２４】
これにより、主機能を実現する工学的矛盾に関する特性パラメータを設定するための第１特性設定領域に対応した位置に、主機能を実現する工学的矛盾に関する第１文章が表示され、しかも、第１文章が第１テキストデータ〜第５テキストデータに基づいて作成されることから、主機能を実現する工学的矛盾の定義の検証を短時間で行うことが可能となる。同様に、有害作用を解決する工学的矛盾に関する特性パラメータを設定するための第２特性設定領域に対応した位置に、有害作用を解決する工学的矛盾に関する第２文章が表示され、しかも、第２文章が第１テキストデータ〜第４テキストデータ及び第６テキストデータに基づいて作成されることから、有害作用を解決する工学的矛盾の定義の検証を短時間で行うことが可能となる。
【００２５】
また、第１の本発明において、前記設定画面の前記第１特性設定領域は、前記主機能を実現する工学的矛盾に関する特性パラメータのうち、前記入力装置によって操作入力された改善パラメータが表示される第１改善パラメータ設定領域と、前記入力装置によって操作入力された悪化パラメータが表示される第１悪化パラメータ設定領域とを有し、前記設定画面の前記第２特性設定領域は、前記有害作用を解決する工学的矛盾に関する特性パラメータのうち、前記入力装置によって操作入力された改善パラメータが表示される第２改善パラメータ設定領域と、前記入力装置によって操作入力された悪化パラメータが表示される第２悪化パラメータ設定領域とを有するようにしてもよい。
【００２６】
これにより、主機能を実現する工学的矛盾に関する特性パラメータの改善パラメータを、第１文言表示領域に表示された対象物の主機能の改善特性を表す文言（第５テキストデータ）を参照しながら容易に設定することが可能となり、主機能を実現する工学的矛盾に関する特性パラメータの悪化パラメータを、第２文言表示領域に表示された有害作用を表す文言（第１テキストデータ及び第２テキストデータ）を参照しながら容易に設定することが可能となる。同様に、有害作用を解決する工学的矛盾に関する特性パラメータの改善パラメータを、第３文言表示領域に表示された有害作用を解決する改善特性を表す文言（第６テキストデータ）を参照しながら容易に設定することが可能となり、有害作用を解決する工学的矛盾に関する特性パラメータの悪化パラメータを、第４文言表示領域に表示された不足作用を表す文言（第３テキストデータ及び第４テキストデータ）を参照しながら容易に設定することが可能となる。
【００２７】
この場合、前記設定画面は、さらに、前記第１特性設定領域に対応して配置された第１発明原理表示領域と、前記第２特性設定領域に対応して配置された第２発明原理表示領域とを有し、前記第１支援表示手段は、前記工学的矛盾マトリックスから前記第１改善パラメータと前記第１悪化パラメータに適合する１以上の発明原理を読み出して前記第１発明原理表示領域に表示する手段を有し、前記第２支援表示手段は、前記工学的矛盾マトリックスから前記第２改善パラメータと前記第２悪化パラメータに適合する１以上の発明原理を読み出して前記第２発明原理表示領域に表示する手段を有するようにしてもよい。
【００２８】
これにより、第１特性設定領域に対応した位置に表示された１以上の発明原理は、主機能を実現する工学的矛盾を解決するためのアイデアを創出する上で有効な支援材料となり、第２特性設定領域に対応した位置に表示された１以上の発明原理は、有害作用を解決する工学的矛盾を解決するためのアイデアを創出する上で有効な支援材料となる。
【００２９】
また、第１の本発明において、前記設定画面は、さらに、物理的矛盾のモデル図が表示される物理的矛盾モデル図表示領域を有し、該物理的矛盾モデル図表示領域は、前記第１テキストデータ、前記第２テキストデータ及び前記第５テキストデータに基づく、前記主機能を改善する機能による有害作用を示すモデル図が表示される第３モデル図表示領域と、前記第３テキストデータ、前記第４テキストデータ及び前記第６テキストデータに基づく、前記主機能を改善する機能と二律背反の関係を有する機能による不足作用を示すモデル図が表示される第４モデル図表示領域とを有するようにしてもよい。
【００３０】
これにより、文言設定領域への第１テキストデータ〜第６テキストデータの表示に基づいて、有害作用による物理的矛盾を示すモデル図及び不足作用による物理的矛盾を示すモデル図が表示されることになるため、モデル図への表示内容に基づいて物理的矛盾の定義の検証を容易に行うことが可能となる。
【００３１】
また、第１の本発明において、前記設定画面は、さらに、物理的矛盾の文章が表示される物理的矛盾文章表示領域を有し、さらに、前記第１テキストデータ〜前記第６テキストデータに基づいて前記物理的矛盾の文章を作成する第３文章作成手段と、作成された前記文章を前記物理的矛盾文章表示領域に表示する第３文章表示手段とを有するようにしてもよい。
【００３２】
これにより、物理的矛盾に関する文章が第１テキストデータ〜第６テキストデータに基づいて作成され、表示されることから、物理的矛盾の定義の検証を短時間で行うことが可能となる。
【００３３】
また、第１の本発明において、前記設定画面は、さらに、前記入力装置によって操作入力された少なくとも前記提起された問題を表す文章、前記提起された問題の有害作用を表す文章及び根本原因を表す文章を表示するためのメモ設定領域を有するようにしてもよい。
【００３４】
これにより、メモ設定領域に表示された内容に基づいて第１テキストデータ〜第６テキストデータを容易に抽出することが可能となると共に、工学的矛盾の定義の検証を、提起された問題を表す文章、提起された問題の有害作用を表す文章及び根本原因を表す文章を参照しながら行うことができ、検証作業の効率化を図ることができる。
【００３５】
次に、第２の本発明に係る特性パラメータ選定支援方法は、入力装置及び表示装置が接続されたコンピュータを使用して、少なくとも工学的矛盾マトリックスにおける特性パラメータの選定を支援する特性パラメータ選定支援方法であって、提起された問題の有害作用を表す文章のうち、前記入力装置によって操作入力された名詞を表す第１テキストデータと、動詞を表す第２テキストデータとを取得するステップと、前記問題が提起された対象物の主機能を表す文章のうち、前記入力装置によって操作入力された名詞を表す第３テキストデータと、動詞を表す第４テキストデータとを取得するステップと、前記入力装置によって操作入力された前記主機能を改善する機能を表す名詞を表す第５テキストデータを取得するステップと、前記入力装置によって操作入力された前記主機能を改善する機能と二律背反の関係を有する機能を表す名詞を表す第６テキストデータを取得するステップと、取得された前記第１テキストデータ、前記第２テキストデータ及び前記第５テキストデータに基づいて、主機能を実現する工学的矛盾に関する特性パラメータの選定を支援する表示を行う第１支援表示ステップと、取得された前記第３テキストデータ、前記第４テキストデータ及び前記第６テキストデータに基づいて、有害作用を解決する工学的矛盾に関する特性パラメータの選定を支援する表示を行う第２支援表示ステップとを有することを特徴とする。
【発明の効果】
【００３６】
以上説明したように、本発明に係る特性パラメータ選定支援プログラム及び特性パラメータ選定支援方法によれば、簡単な文言（名詞、動詞等）の入力だけで、工学的矛盾の定義を明確にするための支援、検証を容易に行うことができ、ＴＲＩＺを用いた問題解決システムの普及を実現させることができる。
【図面の簡単な説明】
【００３７】
【図１】本実施の形態に係る支援システムを示す構成図である。
【図２】本実施の形態に係る支援システムを示すブロック図である。
【図３】本実施の形態に係る特性パラメータ選定支援手段を示す機能ブロック図である。
【図４】設定画面のうち、メモ設定領域と文言設定領域の部分を示す説明図である。
【図５】設定画面のうち、工学的矛盾モデル図表示領域と工学的矛盾文章表示領域の部分を示す説明図である。
【図６】設定画面のうち、特性表示領域と特性設定領域と発明原理表示領域の部分を示す説明図である。
【図７】設定画面のうち、アイデア設定領域と物理的矛盾モデル図表示領域と物理的矛盾文章表示領域の部分を示す説明図である。
【図８】第１支援表示部を示す機能ブロック図である。
【図９】第１工学的矛盾モデル処理部での第１モデル図の作成処理を示す説明図である。
【図１０】第１工学的矛盾文章処理部での第１文章の作成処理を示す説明図である。
【図１１】第２支援表示部を示す機能ブロック図である。
【図１２】第２工学的矛盾モデル処理部での第２モデル図の作成処理を示す説明図である。
【図１３】第２工学的矛盾文章処理部での第２文章の作成処理を示す説明図である。
【図１４】物理的矛盾表示部を示す機能ブロック図である。
【図１５】物理的矛盾モデル処理部での第３モデル図の作成処理を示す説明図である。
【図１６】物理的矛盾モデル処理部での第４モデル図の作成処理を示す説明図である。
【図１７】物理的矛盾モデル処理部での第３文章の作成処理を示す説明図である。
【図１８】本実施の形態に係る特性パラメータ選定支援手段の処理動作の一例を示すフローチャート（その１）である。
【図１９】本実施の形態に係る特性パラメータ選定支援手段の処理動作の一例を示すフローチャート（その２）である。
【図２０】本実施の形態に係る特性パラメータ選定支援手段の処理動作の一例を示すフローチャート（その３）である。
【発明を実施するための形態】
【００３８】
以下、本発明に係る特性パラメータ選定支援プログラム及び特性パラメータ選定支援方法の実施の形態例を図１〜図２０を参照しながら説明する。
【００３９】
本発明に係る特性パラメータ選定支援プログラム及び特性パラメータ選定支援方法が適用される支援システム１０は、図１に示すように、コンピュータ１２と、該コンピュータ１２に接続されたキーボードや座標入力装置（マウス等）の入力装置１４と、コンピュータ１２に接続された表示装置１６とを有する。
【００４０】
コンピュータ１２は、図２に示すように、プログラムの動作用並びにデータの転送用として使用されるメインメモリ１８と、外部機器とのデータのやりとりを行う入出力ポート２０と、プログラムの実行処理を行うＣＰＵ２２とを有する。これらメインメモリ１８、入出力ポート２０及びＣＰＵ２２は、システムバス２４を通じて接続されている。
【００４１】
入出力ポート２０には、上述した入力装置１４と、表示装置１６と、ＣＰＵ２２からの指令に基づいてハードディスク２６に対してアクセスを行うハードディスクドライブ（ＨＤＤ）２８とが少なくとも接続されている。
【００４２】
ハードディスク２６には、ＯＳやアプリケーションプログラム並びに各種データが記録されている。また、アプリケーションプログラムとしては、既存の文書作成プログラム、表計算プログラムやＣＡＤプログラムの他、本発明に係る特性パラメータ選定支援方法を実現する特性パラメータ選定支援プログラム（以下、支援プログラムと記す）等がある。
【００４３】
この支援プログラムは、コンピュータ１２を、少なくとも工学的矛盾マトリックスにおける特性パラメータの選定を支援する特性パラメータ選定支援手段３０（図３参照）として機能させるためのプログラムである。
【００４４】
ここで、本実施の形態に係る特性パラメータ選定支援手段３０について、図３〜図２０を照しながら説明する。
【００４５】
特性パラメータ選定支援手段３０は、図３に示すように、表示装置１６に設定画面３２（図４〜図７参照）を表示する設定画面表示部３４を有する。設定画面３２のデータは例えばハードディスク２６に記録されており、設定画面表示部３４は、ハードディスク２６から設定画面３２のデータを読み出して表示装置１６に表示する。
【００４６】
設定画面３２は、図４に示すように、図面上、左から右に向かって、各種文章が設定表示されるメモ設定領域３６と、入力装置１４への操作入力によって設定される文言が表示される文言設定領域３８と、図５に示すように、工学的矛盾のモデル図が自動表示される工学的矛盾モデル図表示領域４０と、工学的矛盾に関する文章が自動表示される工学的矛盾文章表示領域４２とを有する。さらに、設定画面３２は、図６に示すように、右に向かって、対象物の作用に関する特性が自動表示される特性表示領域４４と、工学的矛盾に関する特性パラメータを設定表示するための特性設定領域４６と、設定された特性パラメータに対応する１以上の発明原理が自動表示される発明原理表示領域４８とを有する。さらに、設定画面３２は、図７に示すように、右に向かって、表示された１以上の発明原理に基づいて創出されたアイデアを設定表示するためのアイデア設定領域５０と、物理的矛盾のモデル図が自動表示される物理的矛盾モデル図表示領域５２と、物理的矛盾に関する文章が自動表示される物理的矛盾文章表示領域５４とを有する。
【００４７】
図４に示すように、メモ設定領域３６は、入力装置１４によって操作入力された、少なくとも提起された問題を表す文章、提起された問題の有害作用を表す文章及び根本原因を表す文章が表示されるようになっている。図４では、メモ設定領域３６は、例えば５つのセル（１次セル〜５次セル）が横方向に配列された構造を有し、１次セルに、提起された問題を表す文章が設定表示され、２次セルに、提起された問題の有害作用を表す文章が設定表示され、３次セルに、根本原因を表す文章が設定表示された例を示す。
【００４８】
文言設定領域３８は、第１文言設定領域３８ａと、第２文言設定領域３８ｂと、第３文言設定領域３８ｃとを有する。
【００４９】
第１文言設定領域３８ａは、２つのセルが横方向に並んだ構造を有し、左側のセルに、提起された問題の有害作用を表す文章のうち、入力装置１４によって操作入力された名詞（第１テキストデータＴＤ１）が表示され、右側のセルに、提起された問題の有害作用を表す文章のうち、入力装置１４によって操作入力された動詞（第２テキストデータＴＤ２）が表示されるようになっている。ここで、「名詞」は、「名詞句」、「名詞節」を含む。また、「名詞」には、該名詞が文章の中でどのような関係を持つかを示す標識（格や前置詞等）を含む場合もある。「動詞」は、「動詞句」を含む。以下同様である。
【００５０】
第２文言設定領域３８ｂも、２つのセルが横方向に並んだ構造を有し、左側のセルに、問題が提起された対象物の主機能を表す文章のうち、入力装置１４によって操作入力された名詞（第３テキストデータＴＤ３）が表示され、右側のセルに、問題が提起された対象物の主機能を表す文章のうち、入力装置１４によって操作入力された動詞（第４テキストデータＴＤ４）が表示されるようになっている。
【００５１】
第３文言設定領域３８ｃは、１つのセルにて構成され、入力装置１４によって操作入力された主機能を改善する機能を表す名詞（第５テキストデータＴＤ５）が表示されるようになっている。
【００５２】
また、この文言設定領域３８の上部には、メモ設定領域３６の例えば第３次セルに設定表示された根本原因を示す文章のうち、主語と述語を設定するための第２メモ設定領域３９が配置されている。この第２メモ設定領域３９は、例えば主機能を改善する機能を表す名詞（第５テキストデータＴＤ５）を導くためにも使用される。なぜなら、工学的矛盾や物理的矛盾においては、主機能を改善する機能自体が提起された問題の根本原因になっている場合が多いからである。
【００５３】
さらに、この文言設定領域３８は、第１文言設定領域３８ａ〜第３文言設定領域３８ｃが、上下方向に配置された形態を有する。図４の例では、一番上に第１文言設定領域３８ａが配置され、その下に第２文言設定領域３８ｂが配置され、その下に第３文言設定領域３８ｃが配置されている。
【００５４】
図５に示すように、工学的矛盾モデル図表示領域４０は、第１テキストデータＴＤ１〜第５テキストデータＴＤ５に基づく、主機能を実現する工学的矛盾のモデル図が表示される第１モデル図表示領域４０ａと、少なくとも第１テキストデータＴＤ１〜第４テキストデータＴＤ４に基づく、有害作用を解決する工学的矛盾のモデル図が表示される第２モデル図表示領域４０ｂとを有する。第２モデル図表示領域４０ｂは、さらに、操作入力された主機能を改善する機能と二律背反の関係を有する機能を表す名詞（第６テキストデータＴＤ６）が表示される第４文言設定領域３８ｄを有する。第１モデル図表示領域４０ａは上部に、第２モデル図表示領域４０ｂは下部に配置されている。
【００５５】
図５に示すように、工学的矛盾文章表示領域４２は、第１モデル図表示領域４０ａに対応した位置に配置され、主機能を実現する工学的矛盾に関する第１文章が表示される第１文章表示領域４２ａと、第２モデル図表示領域４０ｂに対応した位置に配置され、有害作用を解決する工学的矛盾に関する第２文章が表示される第２文章表示領域４２ｂとを有する。図５の例では、第１モデル図表示領域４０ａの下に第１文章表示領域４２ａが配置され、第２モデル図表示領域４０ｂの下に第２文章表示領域４２ｂが配置された例を示す。
【００５６】
図６に示すように、特性表示領域４４は、第１モデル図表示領域４０ａに対応した位置に配置され、対象物の主機能の改善特性を表す文言が表示される第１文言表示領域４４ａ及び有害作用を表す文言が表示される第２文言表示領域４４ｂと、第２モデル図表示領域４０ｂに対応した位置に配置され、有害作用を解決する改善特性を表す文言が表示される第３文言表示領域４４ｃ及び不足作用を表す文言が表示される第４文言表示領域４４ｄとを有する。
【００５７】
第１文言表示領域４４ａと第２文言表示領域４４ｂは、それぞれ１つのセルにて構成され、第１文言表示領域４４ａが左側、第２文言表示領域４４ｂが右側に配置されている。同様に、第３文言表示領域４４ｃと第４文言表示領域４４ｄは、それぞれ１つのセルにて構成され、第３文言表示領域４４ｃが左側、第４文言表示領域４４ｄが右側に配置されている。
【００５８】
特性設定領域４６は、主機能を実現する工学的矛盾に関する特性パラメータを設定するための第１特性設定領域４６ａと、有害作用を解決する工学的矛盾に関する特性パラメータを設定するための第２特性設定領域４６ｂとを有する。
【００５９】
第１特性設定領域４６ａは、主機能を実現する工学的矛盾に関する特性パラメータのうち、入力装置１４によって操作入力された改善パラメータが表示される第１改善パラメータ設定領域４６ａ１と、入力装置１４によって操作入力された悪化パラメータが表示される第１悪化パラメータ設定領域４６ａ２とを有する。同様に、第２特性設定領域４６ｂは、有害作用を解決する工学的矛盾に関する特性パラメータのうち、入力装置１４によって操作入力された改善パラメータが表示される第２改善パラメータ設定領域４６ｂ１と、入力装置１４によって操作入力された悪化パラメータが表示される第２悪化パラメータ設定領域４６ｂ２とを有する。
【００６０】
また、第１特性設定領域４６ａは、第１モデル図表示領域４０ａに対応して上部に配置され、第２特性設定領域４６ｂは、第２モデル図表示領域４０ｂに対応して下部に配置されている。つまり、第１モデル図表示領域４０ａ、第１文章表示領域４２ａ、第１文言表示領域４４ａ及び第２文言表示領域４４ｂは、第１特性設定領域４６ａに対応した位置に配置され、第２モデル図表示領域４０ｂ、第２文章表示領域４２ｂ、第３文言表示領域４４ｃ及び第４文言表示領域４４ｄは、第２特性設定領域４６ｂに対応した位置に配置された形態となっている。
【００６１】
発明原理表示領域４８は、第１特性設定領域４６ａに対応して配置された第１発明原理表示領域４８ａと、第２特性設定領域４６ｂに対応して配置された第２発明原理表示領域４８ｂとを有する。
【００６２】
図７に示すように、アイデア設定領域５０は、１つの発明原理に対して複数のセルが横方向に配列された構造を有し、例えばブレインストーミング法やＫＪ法等で案出されたアイデアを発明原理に対応させて網羅的に入力できるようになっている。
【００６３】
物理的矛盾モデル図表示領域５２は、第１テキストデータＴＤ１、第２テキストデータＴＤ２及び第５テキストデータＴＤ５に基づく、主機能を改善する機能による有害作用を示すモデル図が表示される第３モデル図表示領域４０ｃと、第３テキストデータＴＤ３、第４テキストデータＴＤ４及び第６テキストデータＴＤ６に基づく、主機能を改善する機能と二律背反の関係を有する機能による不足作用を示すモデル図が表示される第４モデル図表示領域４０ｄとを有する。
【００６４】
物理的矛盾文章表示領域５４は、物理的矛盾モデル図表示領域５２に対応した位置、例えば物理的矛盾モデル図表示領域５２の下部に配置されている。
【００６５】
一方、特性パラメータ選定支援手段３０は、入力装置１４によって操作入力された各種文言を設定画面の決められた領域に表示するための設定表示部６０を有する。
【００６６】
すなわち、設定表示部６０は、メモ設定表示部６２と、文言設定表示部６４と、特性パラメータ設定表示部６６と、アイデア設定表示部６８とを有する。
【００６７】
メモ設定表示部６２は、カーソルがメモ設定領域３６及び第２メモ設定領域３９（図４参照）のいずれかにあって、且つ、キーボード等を用いて文字が入力されることで起動され、入力された文章や文言をカーソルの位置に表示するように制御する。これによって、メモ設定領域３６の例えば１次セルには、提起された問題を表す文章が設定表示され、２次セルには、提起された問題の有害作用を表す文章が設定表示され、３次セルには、根本原因を表す文章が設定表示される。また、第２メモ設定領域３９の左側のセルには、根本原因を示す文章のうち、主語が設定表示され、右側のセルには、根本原因を示す文章のうち、述語が設定表示される。
【００６８】
文言設定表示部６４は、カーソルが文言設定領域３８（第１文言設定領域３８ａ〜第４文言設定領域３８ｄ）のいずれかにあって、且つ、キーボード等を用いて文字が入力されることで起動され、入力された文章や文言をカーソルの位置に表示するように制御する。これによって、第１文言設定領域３８ａの左側のセルには、提起された問題の有害作用を表す文章のうち、入力された名詞（第１テキストデータＴＤ１）が表示され、右側のセルに、前記文章のうち、入力された動詞（第２テキストデータＴＤ２）が表示される。同様に、第２文言設定領域３８ｂの左側のセルには、問題が提起された対象物の主機能を表す文章のうち、入力された名詞（第３テキストデータＴＤ３）が表示され、右側のセルに、前記文章のうち、入力された動詞（第４テキストデータＴＤ４）が表示される。また、第３文言設定領域３８ｃのセルには、入力された主機能を改善する機能を表す名詞（第５テキストデータＴＤ５）が表示され、第４文言設定領域３８ｄには、入力された主機能を改善する機能と二律背反の関係を有する機能を表す名詞（第６テキストデータＴＤ６）が表示される。
【００６９】
特性パラメータ設定表示部６６は、カーソルが特性設定領域４６（第１特性設定領域４６ａ、第２特性設定領域４６ｂ：図６参照）のいずれかにあって、且つ、キーボード等を用いて文字が入力されることで起動され、入力された文章や文言をカーソルの位置に表示するように制御する。これによって、第１特性設定領域４６ａの左側のセル（第１改善パラメータ設定領域４６ａ１）には、主機能を実現する工学的矛盾に関する特性パラメータのうち、入力された改善パラメータ（第１特性パラメータ）が表示され、第１特性設定領域４６ａの右側のセル（第１悪化パラメータ設定領域４６ａ２）には、主機能を実現する工学的矛盾に関する特性パラメータのうち、入力された悪化パラメータ（第１悪化パラメータ）が表示される。入力された第１改善パラメータ及び第１悪化パラメータは例えばメインメモリ１８の所定記憶領域に格納される。同様に、第２特性設定領域４６ｂの左側のセル（第２改善パラメータ設定領域４６ｂ１）には、有害作用を解決する工学的矛盾に関する特性パラメータのうち、入力された改善パラメータ（第２改善パラメータ）が表示され、第２特性設定領域４６ｂの右側のセル（第２悪化パラメータ設定領域４６ｂ２）には、有害作用を解決する工学的矛盾に関する特性パラメータのうち、入力された悪化パラメータ（第２悪化パラメータ）が表示される。この場合も、入力された第２改善パラメータ及び第２悪化パラメータは例えばメインメモリ１８の所定記憶領域に格納される。
【００７０】
この特性パラメータ設定表示部６６は、入力装置１４からの操作入力によって、工学的矛盾マトリックスの改善パラメータに関するテーブル（改善テーブル７０）と、悪化パラメータに関するテーブル（悪化テーブル７２）をポップアップウィンドウ表示する。改善テーブル７０及び悪化テーブル７２は予めハードディスク２６に記憶されている。
【００７１】
改善テーブル７０は、工学的矛盾マトリックスの改善パラメータに関する番号、パラメータ名、パラメータの説明が配列されて構成され、第１改善パラメータ設定領域４６ａ１又は第２改善パラメータ設定領域４６ｂ１に、座標入力装置のポインタを合わせてクリックすることで、ポップアップウィンドウ表示される。そして、改善テーブル７０が表示された状態で、座標入力装置のポインタを該当する改善パラメータの番号に合わせてクリックすることで、その番号とパラメータ名が、第１改善パラメータ設定領域４６ａ１又は第２改善パラメータ設定領域４６ｂ１に設定表示されることになる。
【００７２】
同様に、悪化テーブル７２は、工学的矛盾マトリックスの悪化パラメータに関する番号、パラメータ名、パラメータの説明が配列されて構成され、第１悪化パラメータ設定領域４６ａ２又は第２悪化パラメータ設定領域４６ｂ２に、座標入力装置のポインタを合わせてクリックすることで、ポップアップウィンドウ表示される。そして、悪化テーブル７２が表示された状態で、座標入力装置のポインタを該当する悪化パラメータの番号に合わせてクリックすることで、その番号とパラメータ名が、第１悪化パラメータ設定領域４６ａ２又は第２悪化パラメータ設定領域４６ｂ２に設定表示されることになる。
【００７３】
アイデア設定表示部６８は、カーソルがアイデア設定領域５０（図７参照）のいずれかにあって、且つ、キーボード等を用いて文字が入力されることで起動され、入力された文章や文言をカーソルの位置に表示するように制御する。
【００７４】
さらに、特性パラメータ選定支援手段３０は、図３に示すように、第１データ取得部８０ａ、第２データ取得部８０ｂ、第３データ取得部８０ｃ、第４データ取得部８０ｄ、第１支援表示部８２ａと、第２支援表示部８２ｂと、物理的矛盾表示部８４とを有する。
【００７５】
第１データ取得部８０ａ〜第４データ取得部８０ｄは、上述した文言設定表示部６４によって起動される。
【００７６】
第１データ取得部８０ａは、提起された問題の有害作用を表す文章のうち、入力装置１４によって操作入力された名詞を表す第１テキストデータＴＤ１と、動詞を表す第２テキストデータＴＤ２とを取得して例えばメインメモリ１８に格納する。
【００７７】
第２データ取得部８０ｂは、問題が提起された対象物の主機能を表す文章のうち、入力装置１４によって操作入力された名詞を表す第３テキストデータＴＤ３と、動詞を表す第４テキストデータＴＤ４とを取得して例えばメインメモリ１８に格納する。
【００７８】
第３データ取得部８０ｃは、入力装置１４によって操作入力された主機能を改善する機能を表す名詞を表す第５テキストデータＴＤ５を取得して例えばメインメモリ１８に格納する。
【００７９】
第４データ取得部８０ｄは、入力装置１４によって操作入力された主機能を改善する機能と二律背反の関係を有する機能を表す名詞を表す第６テキストデータＴＤ６を取得して例えばメインメモリ１８に格納する。
【００８０】
第１支援表示部８２ａは、取得された少なくとも第１テキストデータＴＤ１、第２テキストデータＴＤ２及び第５テキストデータＴＤ５に基づいて、主機能を実現する工学的矛盾に関する特性パラメータの選定を支援する表示を表示装置１６に行うように制御する。
【００８１】
第２支援表示部８２ｂは、取得された少なくとも第３テキストデータＴＤ３、第４テキストデータＴＤ４及び第６テキストデータＴＤ６に基づいて、有害作用を解決する工学的矛盾に関する特性パラメータの選定を支援する表示を表示装置１６に行うように制御する。
【００８２】
物理的矛盾表示部８４は、取得された第１テキストデータＴＤ１〜第６テキストデータＴＤ６に基づいて、物理的矛盾に関する表示を表示装置１６に行うように制御する。
【００８３】
そして、第１支援表示部８２ａは、図８に示すように、第１データ取得部８０ａ〜第３データ取得部８０ｃにおいて第１テキストデータＴＤ１〜第５テキストデータＴＤ５が取得された段階で起動され、第１特性表示部８６と、第１工学的矛盾モデル処理部８８と、第１工学的矛盾文章処理部９０と、第１発明原理表示部９２とを有する。
【００８４】
第１特性表示部８６は、第５テキストデータＴＤ５で表される文言を第１文言表示領域４４ａ（図６参照）に表示し、第１テキストデータＴＤ１及び第２テキストデータＴＤ２で表される文言を第２文言表示領域４４ｂに表示する。
【００８５】
第１工学的矛盾モデル処理部８８は、第１テキストデータＴＤ１〜第５テキストデータＴＤ５と、後述する第１基本図データ９４とに基づいて第１モデル図１１０（主機能を実現する工学的矛盾のモデル図：図９参照）を作成する第１モデル図作成部９６と、作成された第１モデル図を第１モデル図表示領域４０ａ（図５参照）に表示する第１モデル図表示部９８とを有する。
【００８６】
第１モデル図作成部９６は、例えば図９に示すように、第１テキストデータＴＤ１等が組み込まれる５つの可変データ部（可変データ部Ｄａ１〜Ｄａ５）と、第１基本図データ９４とを使用して第１モデル図１１０を作成する。この第１基本図データ９４は、可変データ部Ｄａ１の表示セル１００から可変データ部Ｄａ２の表示セル１０２に向けて延びる主機能を表す実線矢印の図と、可変データ部Ｄａ１の表示セル１００から可変データ部Ｄａ３の表示セル１０４に向けて延びる有害作用を表す波線矢印の図とが配置され、且つ、実線矢印の図の上部に可変データ部Ｄａ４の表示セル１０６が配置され、波線矢印の図の下部に可変データ部Ｄａ５の表示セル１０８が配置された構成を有する。そして、第１モデル図作成部９６は、この第１基本図データ９４の５つの可変データ部Ｄａ１〜Ｄａ５にそれぞれ第１テキストデータＴＤ１〜第５テキストデータＴＤ５を予め決められた順番に従って組み込むことで、第１モデル図１１０を作成する。図９の例では、可変データ部Ｄａ１〜Ｄａ５に対して順番に第５テキストデータＴＤ５、第３テキストデータＴＤ３、第１テキストデータＴＤ１、第４テキストデータＴＤ４及び第２テキストデータＴＤ２を組み込むことで第１モデル図１１０を作成した例を示す。
【００８７】
第１工学的矛盾文章処理部９０は、図８に示すように、第１テキストデータＴＤ１〜第５テキストデータＴＤ５と、後述する第１フォーマットデータ１１２（図１０参照）とに基づいて第１文章１１４（主機能を実現する工学的矛盾に関する文章：図１０参照）を作成する第１文章作成部１１６と、作成された第１文章１１４を第１文章表示領域４２ａに表示する第１文章表示部１１８とを有する。
【００８８】
第１文章作成部１１６は、例えば図１０に示すように、第１フォーマットデータ１１２を使用する。この第１フォーマットデータ１１２は、第１テキストデータＴＤ１等が組み込まれる５つの可変データ部（可変データ部Ｄｂ１〜Ｄｂ５）と、第１文章１１４の基となる３つの固定データ部（固定データ部Ｓａ１〜Ｓａ３）とが配列されて構成されている。そして、第１文章作成部１１６は、この第１フォーマットデータ１１２の５つの可変データ部Ｄｂ１〜Ｄｂ５にそれぞれ第１テキストデータＴＤ１〜第５テキストデータＴＤ５を予め決められた順番に従って組み込むことで、第１文章１１４を作成する。図１０の例では、可変データ部Ｄｂ１〜Ｄｂ５に対して順番に第３テキストデータＴＤ３、第４テキストデータＴＤ４、第５テキストデータＴＤ５、第１テキストデータＴＤ１及び第２テキストデータＴＤ２を組み込むことで第１文章１１４を作成した例を示す。
【００８９】
第１発明原理表示部９２は、図８に示すように、予めハードディスク２６に記録された工学的矛盾マトリックス１２０（情報テーブル）から、入力された第１改善パラメータと第１悪化パラメータに適合する１以上の発明原理を読み出して第１発明原理表示領域４８ａ（図６参照）に表示する。
【００９０】
一方、図１１に示すように、第２支援表示部８２ｂは、少なくとも第１データ取得部８０ａ及び第２データ取得部８０ｂにて第１テキストデータＴＤ１〜第４テキストデータＴＤ４が取得された段階で起動され、第２特性表示部１２２と、第２工学的矛盾モデル処理部１２４と、第２工学的矛盾文章処理部１２６と、第２発明原理表示部１２８とを有する。この中で、第２工学的矛盾モデル処理部１２４のみが第１テキストデータＴＤ１〜第４テキストデータＴＤ４が取得された段階で起動され、その他は、第６テキストデータＴＤ６まで入力された段階で起動される。
【００９１】
第２特性表示部１２２は、第６テキストデータＴＤ６で表される文言を第３文言表示領域４４ｃに表示し、第３テキストデータＴＤ３及び第４テキストデータＴＤ４で表される文言を第４文言表示領域４４ｄに表示する。
【００９２】
第２工学的矛盾モデル処理部１２４は、少なくとも第１テキストデータＴＤ１〜第４テキストデータＴＤ４、後述する第２基本図データ１３０（図１２参照）とに基づいて第２モデル図１３２（有害作用を解決する工学的矛盾のモデル図：図１２参照）を作成する第２モデル図作成部１３４と、作成された第２モデル図１３２を第２モデル図表示領域４０ｂ（図５参照）に表示する第２モデル図表示部１３６とを有する。
【００９３】
第２モデル図作成部１３４は、例えば図１２に示すように、第１テキストデータＴＤ１等が組み込まれる４つの可変データ部（可変データ部Ｄｃ１〜Ｄｃ５）と、第２基本図データ１３０とを使用して第２モデル図１３２を作成する。この第２基本図データ１３０は、可変データ部Ｄｃ１の表示セル１３８から可変データ部Ｄｃ２の表示セル１４０に向けて延びる不足作用を表す破線矢印の図と、可変データ部Ｄｃ１の表示セル１３８から可変データ部Ｄｃ３の表示セル１４２に向けて延びる有害作用の解決を表す実線矢印とマークの図とが配置され、且つ、破線矢印の図の上部に可変データ部Ｄｃ４の表示セル１４４が配置され、実線矢印とマークの図の下部に可変データ部Ｄｃ５の表示セル１４６が配置された構成を有する。そして、第２モデル図作成部１３４は、この第２基本図データ１３０の４つの可変データ部Ｄｃ２〜Ｄｃ５にそれぞれ第１テキストデータＴＤ１〜第４テキストデータＴＤ４を予め決められた順番に従って組み込むことで、第２モデル図１３２を作成する。図１２の例では、可変データ部Ｄｃ２〜Ｄｃ５に対して順番に第３テキストデータＴＤ３、第１テキストデータＴＤ１、第４テキストデータＴＤ４及び第２テキストデータＴＤ２を組み込むことで第２モデル図１３２を作成した例を示す。なお、可変データＤｃ１には、空白のデータが組み込まれ、第２モデル図１３２が第２モデル図表示領域４０ｂに表示された段階で、可変データ部Ｄｃ１の表示セル１３８は、第６テキストデータＴＤ６を入力表示するための第４文言設定領域３８ｄとなる。
【００９４】
第２工学的矛盾文章処理部１２６は、第１テキストデータＴＤ１〜第４テキストデータＴＤ４及び第６テキストデータＴＤ６と、後述する第２フォーマットデータ１４８（図１３参照）とに基づいて第２文章１５０（有害作用を解決する工学的矛盾に関する文章：図１３参照）を作成する第２文章作成部１５２と、作成された第２文章１５０を第２文章表示領域４２ｂ（図５参照）に表示する第２文章表示部１５４とを有する。
【００９５】
第２文章作成部１５２は、例えば図１３に示すように、第２フォーマットデータ１４８を使用する。この第２フォーマットデータ１４８は、第１テキストデータＴＤ１等が組み込まれる５つの可変データ部（可変データ部Ｄｄ１〜Ｄｄ５）と、第２文章１５０の基となる３つの固定データ部（固定データ部Ｓｂ１〜Ｓｂ３）とが配列されて構成されている。そして、第２文章作成部１５２は、この第２フォーマットデータ１４８の５つの可変データ部Ｄｄ１〜Ｄｄ５にそれぞれ第１テキストデータＴＤ１〜第４テキストデータＴＤ４及び第６テキストデータＴＤ６を予め決められた順番に従って組み込むことで、第２文章１５０を作成する。図１３の例では、可変データ部Ｄｄ１〜Ｄｄ５に対して順番に第１テキストデータＴＤ１、第２テキストデータＴＤ２、第６テキストデータＴＤ６、第３テキストデータＴＤ３及び第４テキストデータＴＤ４を組み込むことで第２文章１５０を作成した例を示す。
【００９６】
第２発明原理表示部１２８は、図１１に示すように、工学的矛盾マトリックス１２０から第２改善パラメータと第２悪化パラメータに適合する１以上の発明原理を読み出して第２発明原理表示領域４８ｂ（図６参照）に表示する。
【００９７】
他方、物理的矛盾表示部８４は、第１テキストデータＴＤ１〜第６テキストデータＴＤ６が入力された段階で起動され、図１４に示すように、物理的矛盾モデル処理部１５６と、物理的矛盾文章処理部１５８とを有する。
【００９８】
物理的矛盾モデル処理部１５６は、第１テキストデータＴＤ１、第２テキストデータＴＤ２及び第５テキストデータＴＤ５と、後述する第３基本図データ１６０（図１５参照）とに基づいて第３モデル図１６２（主機能を改善する機能による有害作用を示すモデル図：図１５参照）を作成する第３モデル図作成部１６４と、作成された第３モデル図１６２を第３モデル図表示領域４０ｃ（図７参照）に表示する第３モデル図表示部１６６とを有する。
【００９９】
第３モデル図作成部１６４は、例えば図１５に示すように、第１テキストデータＴＤ１等が組み込まれる３つの可変データ部（可変データ部Ｄｅ１〜Ｄｅ３）と、第３基本図データ１６０とを使用して第３モデル図１６２を作成する。この第３基本図データ１６０は、可変データ部Ｄｅ１の表示セル１７６から可変データ部Ｄｅ２の表示セル１７８に向けて延びる有害作用を表す波線矢印の図が配置され、且つ、波線矢印の図の上部に可変データ部Ｄｅ３の表示セル１８０が配置された構成を有する。そして、第３モデル図作成部１６４は、この第３基本図データ１６０の３つの可変データ部にそれぞれ第１テキストデータＴＤ１、第２テキストデータＴＤ２及び第５テキストデータＴＤ５を予め決められた順番に従って組み込むことで、第３モデル図１６２を作成する。図１５の例では、可変データ部Ｄｅ１〜Ｄｅ３に対して順番に第５テキストデータＴＤ５、第１テキストデータＴＤ１及び第２テキストデータＴＤ２を組み込むことで第３モデル図１６２を作成した例を示す。
【０１００】
また、物理的矛盾モデル処理部１５６は、さらに、第３テキストデータＴＤ３、第４テキストデータＴＤ４及び第６テキストデータＴＤ６と、後述する第４基本図データ１６８（図１６参照）とに基づいて第４モデル図１７０（主機能を改善する機能と二律背反の関係を有する機能による不足作用を示すモデル図：図１６参照）を作成する第４モデル図作成部１７２と、作成された第４モデル図１７０を第４モデル図表示領域４０ｄ（図７参照）に表示する第４モデル図表示部１７４とを有する。
【０１０１】
第４モデル図作成部１７２は、例えば図１６に示すように、第３テキストデータＴＤ３等が組み込まれる３つの可変データ部（可変データ部Ｄｆ１〜Ｄｆ３）と、第４基本図データ１６８とを使用して第４モデル図１７０を作成する。この第４基本図データ１６８は、可変データ部Ｄｆ１の表示セル１８２から可変データ部Ｄｆ２の表示セル１８４に向けて延びる不足作用を表す破線矢印の図が配置され、且つ、破線矢印の図の上部に可変データ部Ｄｆ３の表示セル１８６が配置された構成を有する。そして、第４モデル図作成部１７２は、この第４基本図データ１６８の３つの可変データ部Ｄｆ１〜Ｄｆ３にそれぞれ第３テキストデータＴＤ３、第４テキストデータＴＤ４及び第６テキストデータＴＤ６を予め決められた順番に従って組み込むことで、第４モデル図１７０を作成する。図１６の例では、可変データ部Ｄｆ１〜Ｄｆ３に対して順番に第６テキストデータＴＤ６、第３テキストデータＴＤ３及び第４テキストデータＴＤ４を組み込むことで第４モデル図１７０を作成した例を示す。
【０１０２】
物理的矛盾文章処理部１５８は、図１４に示すように、第１テキストデータＴＤ１〜第６テキストデータＴＤ６と、後述する第３フォーマットデータ１８８（図１７参照）とに基づいて第３文章１９０（物理的矛盾の文章）を作成する第３文章作成部１９２と、作成された第３文章１９０を物理的矛盾文章表示領域５４（図７参照）に表示する第３文章表示部１９４とを有する。
【０１０３】
第３文章作成部１９２は、例えば図１７に示すように、第３フォーマットデータ１８８を使用する。この第３フォーマットデータ１８８は、第１テキストデータＴＤ１等が組み込まれる６つの可変データ部（可変データ部Ｄｇ１〜Ｄｇ６）と、第３文章１９０の基となる４つの固定データ部（固定データ部Ｓｃ１〜Ｓｃ４）とが配列されて構成されている。そして、第３文章作成部１９２は、この第３フォーマットデータ１８８の６つの可変データ部Ｄｇ１〜Ｄｇ６にそれぞれ第１テキストデータＴＤ１〜第６テキストデータＴＤ６を予め決められた順番に従って組み込むことで、第３文章１９０を作成する。図１７の例では、可変データ部Ｄｇ１〜Ｄｇ６に対して順番に第３テキストデータＴＤ３、第４テキストデータＴＤ４、第５テキストデータＴＤ５、第１テキストデータＴＤ１、第２テキストデータＴＤ２及び第６テキストデータＴＤ６を組み込むことで第３文章１９０を作成した例を示す。
【０１０４】
次に、本実施の形態に係る特性パラメータ選定支援手段３０の処理動作を図１８〜図２０のフローチャートも参照しながら説明する。
【０１０５】
先ず、図１８のステップＳ１において、メモ設定表示部６２は、入力装置１４からの操作入力に基づいて、例えば提起された問題を表す文章を設定表示する。すなわち、図４に示すように、メモ設定領域３６の例えば１次セルにカーソルが位置している状態において、入力装置１４によって提起された問題を表す文章が操作入力されることで、メモ設定表示部６２は、入力された前記提起された問題を表す文章を１次セルに表示する。図４の例では、前記提起された問題を表す文章として、「掃除が出来ない」が１次セルに設定表示された例を示す。
【０１０６】
次に、図１８のステップＳ２において、メモ設定表示部６２は、入力装置１４からの操作入力に基づいて、例えば提起された問題の有害作用を表す文章を設定表示する。すなわち、図４に示すように、メモ設定領域３６の例えば２次セルにカーソルが位置している状態において、入力装置１４によって前記有害作用を表す文章が操作入力されることで、メモ設定表示部６２は、入力された前記有害作用を表す文章を２次セルに表示する。図４の例では、前記有害作用を表す文章として、「絨毯が吸い付いてノズルが移動出来ない」が２次セルに設定表示された例を示す。
【０１０７】
次に、図１８のステップＳ３において、メモ設定表示部６２は、入力装置１４からの操作入力に基づいて、例えば根本原因を表す文章を設定表示する。すなわち、図４に示すように、メモ設定領域３６の例えば３次セルにカーソルが位置している状態において、入力装置１４によって前記根本原因を表す文章が操作入力されることで、メモ設定表示部６２は、入力された前記根本原因を表す文章を３次セルに表示する。図４の例では、前記根本原因を表す文章として、「吸引力が強いから」が３次セルに設定表示された例を示す。
【０１０８】
次に、図１８のステップＳ４において、メモ設定表示部６２は、入力装置１４からの操作入力に基づいて、例えば根本原因を表す文章の主語と述語を設定表示する。すなわち、図４に示すように、第２メモ設定領域３９の左側のセルにカーソルが位置している状態において、入力装置１４によって前記根本原因を表す文章の主語が操作入力されることで、メモ設定表示部６２は、入力された前記主語を左側のセルに表示する。同様に、第２メモ設定領域３９の右側のセルにカーソルが位置している状態において、入力装置１４によって前記根本原因を表す文章の述語が操作入力されることで、メモ設定表示部６２は、入力された前記述語を右側のセルに表示する。図４の例では、前記根本原因を表す文章の主語として、「吸引力が」が設定表示され、前記根本原因を表す文章の述語として、「強い」が設定表示された例を示す。
【０１０９】
次に、図１８のステップＳ５において、文言設定表示部６４は、入力装置１４からの操作入力に基づいて、例えば提起された問題の有害作用を表す文章の名詞と動詞を設定表示する。すなわち、図４に示すように、第１文言設定領域３８ａの左側のセルにカーソルが位置している状態において、入力装置１４によって前記有害作用を表す文章の名詞が操作入力されることで、文言設定表示部６４は、入力された前記名詞を左側のセルに表示する。同様に、第１文言設定領域３８ａの右側のセルにカーソルが位置している状態において、入力装置１４によって前記有害作用を表す文章の動詞が操作入力されることで、文言設定表示部６４は、入力された前記動詞を右側のセルに表示する。図４の例では、前記有害作用を表す文章の名詞として、「絨毯が」が設定表示され、前記有害作用を表す文章の動詞として、「吸い付いてノズルが移動出来ない」が設定表示された例を示す。
【０１１０】
次に、図１８のステップＳ６において、第１データ取得部８０ａは、文言設定表示部６４によって起動され、第１文言設定領域３８ａの左側のセルに設定表示された名詞（第１テキストデータＴＤ１）と、右側のセルに設定表示された動詞（第２テキストデータＴＤ２）とを取得して例えばメインメモリ１８の所定記憶領域に格納する。
【０１１１】
次に、図１８のステップＳ７において、文言設定表示部６４は、入力装置１４からの操作入力に基づいて、例えば問題が提起された対象物の主機能を表す文章の名詞と動詞を設定表示する。すなわち、図４に示すように、第２文言設定領域３８ｂの左側のセルにカーソルが位置している状態において、入力装置１４によって前記主機能を表す文章の名詞が操作入力されることで、文言設定表示部６４は、入力された前記名詞を左側のセルに表示する。同様に、第２文言設定領域３８ｂの右側のセルにカーソルが位置している状態において、入力装置１４によって前記主機能を表す文章の動詞が操作入力されることで、文言設定表示部６４は、入力された前記動詞を右側のセルに表示する。図４の例では、前記主機能を表す文章の名詞として、「ゴミを」が設定表示され、前記主機能を表す文章の動詞として、「吸い込む」が設定表示された例を示す。
【０１１２】
次に、図１８のステップＳ８において、第２データ取得部８０ｂは、文言設定表示部６４によって起動され、第２文言設定領域３８ｂの左側のセルに設定表示された名詞（第３テキストデータＴＤ３）と、右側のセルに設定表示された動詞（第４テキストデータＴＤ４）とを取得して例えばメインメモリ１８の所定記憶領域に格納する。
【０１１３】
次に、図１８のステップＳ９において、文言設定表示部６４は、入力装置１４からの操作入力に基づいて、例えば主機能を改善する機能を表す名詞を設定表示する。すなわち、図４に示すように、第３文言設定領域３８ｃにカーソルが位置している状態において、入力装置１４によって前記主機能を改善する機能を表す名詞が操作入力されることで、文言設定表示部６４は、入力された前記名詞を第３文言設定領域３８ｃに表示する。図４の例では、前記主機能を改善する機能を表す名詞として、「強い吸引力」が設定表示された例を示す。
【０１１４】
次に、図１８のステップＳ１０において、第３データ取得部８０ｃは、文言設定表示部６４によって起動され、第３文言設定領域３８ｃに設定表示された名詞（第５テキストデータＴＤ５）を取得して例えばメインメモリ１８の所定記憶領域に格納する。
【０１１５】
次に、図１８のステップＳ１１において、第１工学的矛盾モデル処理部８８は、第１テキストデータＴＤ１〜第５テキストデータＴＤ５と、第１基本図データ９４とに基づいて第１モデル図１１０（図９参照）を作成し、該第１モデル図１１０を第１モデル図表示領域４０ａ（図５参照）に表示する。
【０１１６】
次に、図１８のステップＳ１２において、第２工学的矛盾モデル処理部１２４は、第１テキストデータＴＤ１〜第４テキストデータＴＤ４と、第２基本図データ１３０とに基づいて第２モデル図１３２（図１２参照）を作成し、該第２モデル図１３２を第２モデル図表示領域４０ｂ（図５参照）に表示する。
【０１１７】
次に、図１９のステップＳ１３において、第１工学的矛盾文章処理部９０は、第１テキストデータＴＤ１〜第５テキストデータＴＤ５と、第１フォーマットデータ１１２とに基づいて第１文章１１４（図１０参照）を作成し、該第１文章１１４を第１文章表示領域４２ａ（図５参照）に表示する。
【０１１８】
次に、図１９のステップＳ１４において、第１特性表示部８６は、第５テキストデータＴＤ５で表される文言（対象物の主機能の改善特性を表す文言）を第１文言表示領域４４ａ（図６参照）に表示し、第１テキストデータＴＤ１及び第２テキストデータＴＤ２で表される文言（有害作用を表す文言）を第２文言表示領域４４ｂに表示する。図６の例では、第１文言表示領域４４ａに「強い吸引力」が表示され、第２文言表示領域４４ｂに「絨毯が吸い付いてノズルが移動出来ない」が表示された例を示す。
【０１１９】
その後、図１９のステップＳ１５において、第４文言設定領域３８ｄ（図５参照）への文言（主機能を改善する機能と二律背反の関係を有する機能を表す名詞）の入力を待つ。すなわち、第１文章１１４が表示された段階で、使用者は、第１文章１１４が主機能を実現する工学的矛盾に関する文章として成立しているが否かを検証する。文章として成立していれば、第４文言設定領域３８ｄへの文言入力が行われ、文章として成立していなければ（第１文章不成立）、上述したステップＳ１以降に戻って、第１文章１１４が主機能を実現する工学的矛盾に関する文章として成立するように、特定の文言あるいは各文言の内容を変更して入力する。
【０１２０】
そして、上述のステップＳ１５において、第４文言設定領域３８ｄに前記二律背反の関係を有する機能を表す名詞が入力された段階で、次のステップＳ１６に進み、文言設定表示部６４は、前記二律背反の関係を有する機能を表す名詞を設定表示する。すなわち、図５に示すように、第４文言設定領域３８ｄにカーソルが位置している状態において、入力装置１４によって前記二律背反の関係を有する機能を表す名詞が操作入力されることで、文言設定表示部６４は、入力された前記名詞を第４文言設定領域３８ｄに表示する。図５の例では、前記二律背反の関係を有する機能を表す名詞として、「弱い吸引力」が設定表示された例を示す。
【０１２１】
次に、図１９のステップＳ１７において、第４データ取得部８０ｄは、文言設定表示部６４によって起動され、第４文言設定領域３８ｄに設定表示された名詞（第６テキストデータＴＤ６）を取得して例えばメインメモリ１８の所定記憶領域に格納する。
【０１２２】
次に、図１９のステップＳ１８において、第２工学的矛盾文章処理部１２６は、第１テキストデータＴＤ１〜第４テキストデータＴＤ４及び第６テキストデータＴＤ６と、第２フォーマットデータ１４８とに基づいて第２文章１５０（図１３参照）を作成し、該第２文章１５０を第２文章表示領域４２ｂ（図５参照）に表示する。
【０１２３】
次に、図１９のステップＳ１９において、第２特性表示部１２２は、第６テキストデータＴＤ６で表される文言（有害作用を解決する改善作用を表す文言）を第３文言表示領域４４ｃ（図６参照）に表示し、第３テキストデータＴＤ３及び第４テキストデータＴＤ４で表される文言（不足作用を表す文言）を第４文言表示領域４４ｄに表示する。図６の例では、第３文言表示領域４４ｃに「弱い吸引力」が表示され、第４文言表示領域４４ｄに「ゴミを吸い込む」が表示された例を示す。
【０１２４】
その後、図１９のステップＳ２０において、例えば第１改善パラメータ設定領域４６ａ１（図６参照）への第１改善パラメータの入力を待つ。すなわち、第２文章１５０が表示された段階で、使用者は、第２文章１５０が有害作用を解決する工学的矛盾に関する文章として成立しているか否かを検証する。文章として成立していれば、次の処理に進むべく、第１改善パラメータ設定領域４６ａ１への第１改善パラメータの入力が行われ、文章として成立していなければ（第２文章不成立）、上述したステップＳ１以降に戻って、第１文章１１４が主機能を実現する工学的矛盾に関する文章として成立し、且つ、第２文章１５０が有害作用を解決する工学的矛盾に関する文章として成立するように、特定の文言あるいは各文言の内容を変更して入力する。
【０１２５】
そして、上述のステップＳ２０において、第１改善パラメータ設定領域４６ａ１（図６参照）に第１改善パラメータが入力された段階で、次のステップＳ２１に進み、特性パラメータ設定表示部６６は、第１改善パラメータを設定表示する。すなわち、図６に示すように、第１改善パラメータ設定領域４６ａ１に、座標入力装置のポインタを合わせてクリックすることで、特性パラメータ設定表示部６６は、改善テーブル７０をポップアップウィンドウ表示する。改善テーブル７０が表示された状態で、座標入力装置のポインタを該当する改善パラメータの番号に合わせてクリックすることで、特性パラメータ設定表示部６６は、改善パラメータの番号とパラメータ名を、第１改善パラメータ設定領域４６ａ１に表示する。図６の例では、第１改善パラメータとして、「１８：パワー」が設定表示された例を示す。
【０１２６】
次に、図１９のステップＳ２２において、特性パラメータ設定表示部６６は、入力装置１４からの操作入力に基づいて、例えば第１悪化パラメータを設定表示する。すなわち、図６に示すように、第１悪化パラメータ設定領域４６ａ２に、座標入力装置のポインタを合わせてクリックすることで、特性パラメータ設定表示部は、悪化テーブル７２をポップアップウィンドウ表示する。悪化テーブル７２が表示された状態で、座標入力装置のポインタを該当する悪化パラメータの番号に合わせてクリックすることで、特性パラメータ設定表示部６６は、悪化パラメータの番号とパラメータ名を、第１悪化パラメータ設定領域４６ａ２に表示する。図６の例では、第１悪化パラメータとして、「４０：システムに働くその他有害な効果」が設定表示された例を示す。
【０１２７】
その後、図１９のステップＳ２３において、第１発明原理表示部９２は、工学的矛盾マトリックス１２０（情報テーブル）から、ステップＳ１９で入力された第１改善パラメータとステップＳ２０で入力された第１悪化パラメータに適合する１以上の発明原理を読み出して第１発明原理表示領域４８ａ（図６参照）に表示する。図６の例では、１以上の発明原理として、「３９：不活性雰囲気」、「２：分離」、「１９：周期的作用」、「３１：多孔質材料」が抽出され、これら発明原理が垂直方向に並べられて表示された例を示す。
【０１２８】
次に、図２０のステップＳ２４において、特性パラメータ設定表示部６６は、入力装置１４からの操作入力に基づいて、例えば第２改善パラメータ設定領域４６ｂ１（図６参照）に第２改善パラメータを設定表示する。この設定表示も、ステップＳ２１と同様に、例えば改善テーブル７０をポップアップウィンドウ表示させ、該当する番号を選択することによって行われる。図６の例では、第２改善パラメータとして、「１８：パワー」が設定表示された例を示す。
【０１２９】
次に、図２０のステップＳ２５において、特性パラメータ設定表示部６６は、入力装置１４からの操作入力に基づいて、例えば第２悪化パラメータ設定領域４６ｂ２に第２悪化パラメータを設定表示する。この設定表示も、ステップＳ２２と同様に、例えば悪化テーブル７２をポップアップウィンドウ表示させ、該当する番号を選択することによって行われる。図６の例では、第２悪化パラメータとして、「２４：機能の効率」が設定表示された例を示す。
【０１３０】
その後、図２０のステップＳ２６において、第２発明原理表示部１２８は、工学的矛盾マトリックス１２０（情報テーブル）から、ステップＳ２４で入力された第２改善パラメータとステップＳ２５で入力された第２悪化パラメータに適合する１以上の発明原理を読み出して第２発明原理表示領域４８ｂ（図６参照）に表示する。図６の例では、１以上の発明原理として、「２：分離」、「２８：メカニズムの代替」、「１４：局面」、「１５：ダイナミック化（調整可能）」が抽出され、これら発明原理が垂直方向に並べられて表示された例を示す。
【０１３１】
次に、図２０のステップＳ２７において、物理的矛盾モデル処理部１５６は、第１テキストデータＴＤ１、第２テキストデータＴＤ２及び第５テキストデータＴＤ５と、第３基本図データ１６０とに基づいて第３モデル図１６２（図１５参照）を作成し、該第３モデル図１６２を第３モデル図表示領域４０ｃ（図７参照）に表示する。
【０１３２】
次に、図２０のステップＳ２８において、物理的矛盾モデル処理部１５６は、第３テキストデータＴＤ３、第４テキストデータＴＤ４及び第６テキストデータＴＤ６と、第４基本図データ１６８とに基づいて第４モデル図１７０（図１６参照）を作成し、該第４モデル図１７０を第４モデル図表示領域４０ｄ（図７参照）に表示する。
【０１３３】
次に、図２０のステップＳ２９において、物理的矛盾文章処理部１５８は、第１テキストデータＴＤ１〜第６テキストデータＴＤ６と、第３フォーマットデータ１８８とに基づいて第３文章１９０（図１７参照）を作成し、該第３文章１９０を物理的矛盾文章表示領域５４（図７参照）に表示する。
【０１３４】
その後、図２０のステップＳ３０において、アイデア設定表示部６８は、入力装置１４によって操作入力された様々なアイデアを示す文言や文章を、アイデア設定領域５０（図７参照）に設定表示する。
【０１３５】
すなわち、第１文言表示領域４４ａに表示された対象物の作用の改善特性を表す文言と、第２文言表示領域４４ｂに表示された有害作用を表す文言と、第１発明原理表示領域４８ａに表示された１以上の発明原理に基づいて、主機能を実現する工学的矛盾を解決するためのアイデアが創出されることになるため、創出されたアイデアを示す文言や文章が入力されることで、これらの文言や文章がアイデア設定領域５０に設定表示されることになる。
【０１３６】
また、第３文言表示領域４４ｃに表示された対象物の作用の改善特性を表す文言と、第４文言表示領域４４ｄに表示された不足作用を表す文言と、第２発明原理表示領域４８ｂに表示された１以上の発明原理に基づいて、有害作用を解決する工学的矛盾を解決するためのアイデアが創出されることになるため、創出されたアイデアを示す文言や文章が入力されることで、これらの文言や文章がアイデア設定領域５０に設定表示されることになる。
【０１３７】
そして、この特性パラメータ選定支援手段３０に対して終了要求があった段階で、特性パラメータ選定支援手段３０での処理が終了する。
【０１３８】
なお、上述の例では、ステップＳ１〜ステップＳ３において、順番に、提供された問題を表す文章、有害作用を表す文章、根本原因を表す文章を設定表示した例を示したが、これらの文章の設定表示の順番は、順不同であり、いずれの文章から設定表示するようにしてもよい。
【０１３９】
また、上述の例では、ステップＳ２０において、第１改善パラメータの入力があった段階で、次のステップＳ２１に進むようにしたが、もちろん、それ以外の第１悪化パラメータ、第２改善パラメータ、第２悪化パラメータのいずれを入力するようにしてもよい。
【０１４０】
このように、本実施の形態に係る特性パラメータ選定支援手段３０は、簡単な文言（名詞、動詞等）の入力だけで、「工学的矛盾の定義」を明確にするための支援、検証を容易に行うことができ、ＴＲＩＺを用いた問題解決システムの普及を実現させることができる。
【０１４１】
特に、本実施の形態では、第１文言表示領域４４ａ（図６参照）に表示された対象物の主機能の改善特性を表す文言（第５テキストデータＴＤ５）と、第２文言表示領域４４ｂに表示された有害作用を表す文言（第１テキストデータＴＤ１及び第２テキストデータＴＤ２）に基づいて、前記主機能を実現する工学的矛盾に関する特性パラメータを容易に選定することが可能となり、第３文言表示領域４４ｃに表示された有害作用を解決する改善作用を表す文言（第６テキストデータＴＤ６）と、第４文言表示領域４４ｄに表示された不足作用を表す文言（第３テキストデータＴＤ３及び第４テキストデータＴＤ４）に基づいて前記有害作用を解決する工学的矛盾に関する特性パラメータを容易に選定することが可能となる。
【０１４２】
また、図４に示すように、第１文言設定領域３８ａでは、提起された問題の有害作用を表す文章のうち、名詞を表す第１テキストデータＴＤ１と、動詞を表す第２テキストデータＴＤ２とが横方向に並んだ状態で表示されることから、有害作用を表す文章を簡単に想起することができ、入力ミスや文書上の矛盾を簡単に見つけることができる。同様に、第２文言設定領域３８ｂでは、問題が提起された対象物の主機能を表す文章のうち、名詞を表す第３テキストデータＴＤ３と、動詞を表す第４テキストデータＴＤ４とが横方向に並んだ状態で表示されることから、対象物の主機能を表す文章を簡単に想起することができ、入力ミスや文書上の矛盾を簡単に見つけることができる。さらに、有害作用、主機能、主機能を改善する機能を表す文言が上下方向に並んで表示される形態となるため、有害作用、主機能、主機能を改善する機能を明確に認識することが可能となる。
【０１４３】
しかも、文言設定領域３８への第１テキストデータＴＤ１〜第５テキストデータＴＤ５の表示に基づいて、図５に示すように、主機能を実現する工学的矛盾のモデル図及び有害作用を解決する工学的矛盾のモデル図が、図６に示す特性表示領域４４に隣接した位置（第１モデル図表示領域４０ａ及び第２モデル図表示領域４０ｂ：図５参照）に表示されることになるため、モデル図への表示内容に基づいて工学的矛盾の定義の検証を容易に行うことが可能となる。
【０１４４】
また、主機能を実現する工学的矛盾に関する特性パラメータを設定するための第１特性設定領域４６ａ（図６参照）に対応した位置（第１文章表示領域４２ａ：図５参照）に、主機能を実現する工学的矛盾に関する第１文章が表示され、しかも、第１文章が第１テキストデータＴＤ１〜第５テキストデータＴＤ５に基づいて作成されることから、主機能を実現する工学的矛盾の定義の検証を短時間で行うことが可能となる。同様に、有害作用を解決する工学的矛盾に関する特性パラメータを設定するための第２特性設定領域４６ｂ（図６参照）に対応した位置（第１文章表示領域４２ｂ：図５参照）に、有害作用を解決する工学的矛盾に関する第２文章が表示され、しかも、第２文章が第１テキストデータＴＤ１〜第４テキストデータＴＤ４及び第６テキストデータＴＤ６に基づいて作成されることから、有害作用を解決する工学的矛盾の定義の検証を短時間で行うことが可能となる。
【０１４５】
また、本実施の形態では、主機能を実現する工学的矛盾に関する特性パラメータの改善パラメータ（第１改善パラメータ）を、図６に示す第１文言表示領域４４ａに表示された対象物の主機能の改善特性を表す文言（第５テキストデータＴＤ５）を参照しながら容易に設定することが可能となり、主機能を実現する工学的矛盾に関する特性パラメータの悪化パラメータ（第１悪化パラメータ）を、第２文言表示領域４４ｂに表示された有害作用を表す文言（第１テキストデータＴＤ１及び第２テキストデータＴＤ２）を参照しながら容易に設定することが可能となる。同様に、有害作用を解決する工学的矛盾に関する特性パラメータの改善パラメータ（第２改善パラメータ）を、第３文言表示領域４４ｃに表示された有害作用を解決する改善特性を表す文言（第６テキストデータＴＤ６）を参照しながら容易に設定することが可能となり、有害作用を解決する工学的矛盾に関する特性パラメータの悪化パラメータ（第２悪化パラメータ）を、第４文言表示領域４４ｄに表示された不足作用を表す文言（第３テキストデータＴＤ３及び第４テキストデータＴＤ４）を参照しながら容易に設定することが可能となる。
【０１４６】
また、図６に示すように、第１特性設定領域４６ａに対応した位置（第１発明原理表示領域４８ａ）に表示された１以上の発明原理は、主機能を実現する工学的矛盾を解決するためのアイデアを創出する上で有効な支援材料となり、第２特性設定領域４６ｂに対応した位置（第２発明原理表示領域４８ｂ）に表示された１以上の発明原理は、有害作用を解決する工学的矛盾を解決するためのアイデアを創出する上で有効な支援材料となる。
【０１４７】
また、本実施の形態では、図４に示す文言設定領域３８への第１テキストデータＴＤ１〜第６テキストデータＴＤ６の設定表示に基づいて、有害作用による物理的矛盾を示すモデル図及び不足作用による物理的矛盾を示すモデル図が表示されることになるため、モデル図への表示内容に基づいて物理的矛盾の定義の検証を容易に行うことが可能となる。
【０１４８】
また、物理的矛盾に関する文章が第１テキストデータＴＤ１〜第６テキストデータＴＤ６に基づいて作成され、表示されることから、物理的矛盾の定義の検証を短時間で行うことが可能となる。
【０１４９】
しかも、メモ設定領域３６に表示された内容に基づいて第１テキストデータＴＤ１〜第６テキストデータＴＤ６を容易に抽出することが可能となると共に、工学的矛盾の定義の検証を、提起された問題を表す文章、提起された問題の有害作用を表す文章及び根本原因を表す文章を参照しながら行うことができ、検証作業の効率化を図ることができる。
【０１５０】
なお、本発明に係る特性パラメータ選定支援プログラム及び特性パラメータ選定支援方法は、上述の実施の形態に限らず、本発明の要旨を逸脱することなく、種々の構成を採り得ることはもちろんである。
【符号の説明】
【０１５１】
１０…支援システム
１２…コンピュータ
１４…入力装置
１６…表示装置
３０…特性パラメータ選定支援手段
３２…設定画面
３４…設定画面表示部
３６…メモ設定領域
３８…文言設定領域
４０…工学的矛盾モデル図表示領域
４２…工学的矛盾文章表示領域
４４…特性表示領域
４６…特性設定領域
４８…発明原理表示領域
５０…アイデア設定領域
５２…物理的矛盾モデル図表示領域
５４…物理的矛盾文章表示領域
６０…設定表示部
６２…メモ設定表示部
６４…文言設定表示部
６６…特性パラメータ設定表示部
６８…アイデア設定表示部
８０ａ…第１データ取得部
８０ｂ…第２データ取得部
８０ｃ…第３データ取得部
８０ｄ…第４データ取得部
８２ａ…第１支援表示部
８２ｂ…第２支援表示部
８４…物理的矛盾表示部
【図１】
2010231578.tif 000003
【図２】
2010231578.tif 000004
【図３】
2010231578.tif 000005
【図４】
2010231578.tif 000006
【図５】
2010231578.tif 000007
【図６】
2010231578.tif 000008
【図７】
2010231578.tif 000009
【図８】
2010231578.tif 000010
【図９】
2010231578.tif 000011
【図１０】
2010231578.tif 000012
【図１１】
2010231578.tif 000013
【図１２】
2010231578.tif 000014
【図１３】
2010231578.tif 000015
【図１４】
2010231578.tif 000016
【図１５】
2010231578.tif 000017
【図１６】
2010231578.tif 000018
【図１７】
2010231578.tif 000019
【図１８】
2010231578.tif 000020
【図１９】
2010231578.tif 000021
【図２０】
2010231578.tif 000022